【事件の表示】
　平成　５年特許願第２１８６９８号「パチンコ機」拒絶査定不服審判事件〔平成　７年　３月１４日出願公開、特開平　７−　６８０１２〕について、次のとおり審決する。
【結　論】
　本件審判の請求は、成り立たない。
【理　由】
１． 手続きの経緯、本願発明 
　　　　　　　　　　　　　　　　
　本願は、平成５年９月２日の出願であって、平成１４年８月８日付で拒絶理由が通知され、平成１４年９月１８日付で手続補正がなされ、平成１５年２月２６日付で拒絶査定がなされ、平成１５年４月２日付で拒絶査定に対する審判請求がなされ、平成１５年４月２５日付で手続補正がなされたものであって、その請求項１に係る発明（以下、本願発明という。）は、平成１５年４月２５日付手続補正書の特許請求の範囲の請求項１に記載された次のとおりのものである。
　　　　　　　　　　　　　　　　　　　　
「　パチンコ球が貯留される補給流路の背後にこの補給流路をカバーした状態で設置された蓋板には前記補給流路でのパチンコ球の欠乏を検出して球供給禁止状態を出現させる球切れ検出機構の作動状態を透視する監視窓を開設し、
　しかも、前記球切れ検出機構は、前記補給流路の球に作動させる球切れ検出片と、その球切れ検出片によって作動される触動片を有する球切れ検出スイッチとをそれぞれ備え、
　前記蓋板は不透明の合成樹脂材で成形され、
　前記監視窓は、前記球切れ検出片及び球切れ検出スイッチの触動片の作動状態をそれぞれ直接的に透視可能に孔状に形成されていることを特徴とするパチンコ機。」
　　　　　　　　　　　　　
２．引用例
　原査定の拒絶の理由に引用された特開平４−１９７２８５号公報（以下「引用例」という）には、図面とともに以下の記載がある。
　　　　　　　　　　　　　　　　　
（記載事項ａ）
「賞品球流路の近傍に配設されて賞品球の流通制御に関連して作動する作動部材にはこの作動部材の作動方向へ配列されて前記作動部材が非作動状態か作動状態かを判別する非作動マークと作動マークとを表示したことを特徴とするパチンコ機。」（特許請求の範囲）
　　　　　　　　　　　　　　　　
（記載事項ｂ）
「［産業上の利用分野］
　この発明はパチンコ機に関する。
［従来の技術］
　パチンコ機では球タンク内から流出した賞品球が遊技者に払出されるまでに流通する賞品球流路の近傍には球切れの検出、賞品球の払出しの禁止、賞品球の払出し、球抜き等の目的で一時的に作動する各種作動部材が設置されている。」（第１頁左下欄第１１〜１８行）
　　　　　　
（記載事項ｃ）
「ベース板５０の上横板５０ｃの裏面には賞品球を貯留するための方形箱形状の球タンク５５が上方への取外し可能に取付けられ、この球タンク５５の底板５５ａは外方へ下傾した傾斜状に形成され、この底板５５ａの外端には球出口５５ｂか開口されている。」（第４頁右上欄第２〜７行）
　　　　　　　　　　　　　　　　
（記載事項ｄ）
「ベース板５０の上横板５０ｃの後面には第１図に示すように球タンク５５の球出口５５ｂの下方に配設されて賞品球供給および球切れ検出機構が装着された第２セツト基板６５が間隙を隔てて取付けられている。この第２セツト基板６５の前面の中央部付近にはほぼ扇形状の基部５６ａと、内方へ延出されたレール部５６ｂと、レール部５６ｂの内端に連接されて下方へ延出された円弧状のシャッタ部５６ｃとを有し、上下方向への揺動可能に軸支されたタンクレール（作動部材）５６が取付けられている。このタンクレール５６はスプリング６２によってレール部５６ｂが上方へ揺動する方向へ付勢されている。タンクレール５６の基部５６ａに上端部が連結されて垂下された連結片５７の下端部には前記上揺動レバー３８Ｂに下端部が繋止された連結ロッド５４の上端部が繋止されている。タンクレール５６の基部５６ａの後面にはタンクレール５６の揺動支点を中心とする円弧曲線上に隣接して配設されて異色（緑色と赤色）に着色された円形の第１非作動マーク５８Ａおよび第１作動マーク５８Ｂが表示されている。所定数以上の賞品球がタンクレール５６のレール部５６ｂ上に積載されている場合にはレール部５６ｂがスプリング６２に抗して下方へ揺動し、レール部５６ｂ上の賞品球が不足すると、レール部５６ｂが上方へ復帰揺動する。」（第４頁右上欄第８行〜左下欄第１３行）
　　　　　　　　　　　　　　　　　
（記載事項ｅ）
「第２セット基板６５の前面外端には前後方向へ密接状態で配列された３つの賞品球切れ検出スイッチ５９がスイッチ基板５９ａを介して取付けられるとともに、第２セツト基板６５の前面の外端付近には各賞品球切れ検出スイッチ５９に対向して垂下された押え部６０ａと、タンクレール５６の基部５６ａに向って下傾状に延出された検出部６０ｂとを有し、内外方向への揺動可能に軸支されたスイッチ押え（作動部材）６０が取付けられている。賞品球がタンクレール５６上に積載された正常状態ではスイッチ押え６０が外方へ揺動して各賞品球切れ検出スイッチ５９の触動片５９ｂが押圧され、タンクレール５６上に賞品球が欠乏した異常状態ではスイッチ押え６０が内方へ揺動して各賞品球切れ検出スイッチ５９の触動片５９ｂが解放される。スイッチ押え６０の検出部６０ｂの下端に突設された突片６０ｃの後面にはスイッチ押え６０の揺動支点を中心とする円弧曲線上に隣接して配設されて異色（緑色と赤色）に着色された円形の第２非作動マーク６１Ａおよび第２作動マーク６１Ｂが表示されている。
　第２セツト基板６５の外端付近の下部には第１非作動マーク５８Ａ、第１作動マーク５８Ｂ、および、第２非作動マーク６１Ａ、第２作動マーク６１Ｂにそれぞれ対向して丸孔状の透視窓６５ａ、６５ｂが開設されている。タンクレール５６のレール部５６ｂが下方へ揺動した正常状態では緑色の第１非作動マーク５８Ａが透視窓６５ａを通じて透視され、レール部５６ｂが上方へ揺動した異常状態では赤色の第１作動マーク５８Ｂが透視窓６５ａを通じて透視され、タンクレール５６上の賞品球の不足の有無を第１非作動マーク５８Ａ、第１作動マーク５８Ｂによって判別することができる。スイッチ押え６０が外方へ揺動した正常状態では緑色の第２非作動マーク６１Ａが透視窓６５ｂを通じて透視され、球タンク５５内の賞品球が欠乏してスイッチ押え６０が内方へ揺動し、各賞品球切れ検出スイッチ５９の触動片５９ａ（当審注：５９ａは、スイッチ基板であるから、「触動片５９ｂ」の誤記であると認められる。）が解放された異常状態では赤色の第２作動マーク６１Ｂが透視窓を通じて透視され、賞品球の欠乏の有無を第２非作動マーク６１Ａ、第２作動マーク６１Ｂによって判別することができる。」（第４頁左下欄第１４行〜第５頁左上欄第１５行）
　　　　　　　　　　　　　
（記載事項ｆ）
「また、下皿７上に遊技球が充満すると、賞品球払出し禁止スイッチ１３５がＯＮとなって防犯基板１４６の両リレー１４６ａ、１４６ｂが作動し、発射モータ１４および賞品球払出しモータ１１５がそれぞれ停止する。さらに、前記タンクレール５６上の賞品球が不足すると、前記賞品球切れ検出スイッチ５９がＯＮとなって防犯基板１４６の両リレー１４６ａ、１４６ｂが作動し、発射モータ１４および賞品球払出しモータ１１５がそれぞれ停止するとともに、ベース板５０の上端にランプ基板１４９を介して取付けられた賞品球払出し兼賞品球切れ表示灯１３３が点灯する。」（第１０頁右上欄第５〜１６行）
　　　　　　　　　　　　　　　　
　これらの記載、及び、図面、並びに、
(i)「賞品球がタンクレール５６上に積載された正常状態ではスイッチ押え６０が外方へ揺動して各賞品球切れ検出スイッチ５９の触動片５９ｂが押圧され、タンクレール５６上に賞品球が欠乏した異常状態ではスイッチ押え６０が内方へ揺動して各賞品球切れ検出スイッチ５９の触動片５９ｂが解放される。」（記載事項ｅ）という記載から、スイッチ押え６０が、タンクレール５６の賞品球に「作動させる」こと、及び、触動片５９ｂが、スイッチ押え６０によって「作動される」ことが明らかなこと、
(ii)「タンクレール５６上の賞品球が不足すると、前記賞品球切れ検出スイッチ５９がＯＮとなって・・・発射モータ１４および賞品球払出しモータ１１５がそれぞれ停止する」（記載事項ｆ）という記載及び前記(i)における記載から、「球切れ検出手段」が、タンクレール５６での賞品球の欠乏を検出して「球供給禁止状態」を「出現」させ、スイッチ押え６０と、触動片５９ｂを有する賞品球切れ検出スイッチ５９とを備えることが明らかなこと、
(iii)「スイッチ押え６０が外方へ揺動した正常状態では緑色の第２非作動マーク６１Ａが透視窓６５ｂを通じて透視され、球タンク５５内の賞品球が欠乏してスイッチ押え６０が内方へ揺動し、各賞品球切れ検出スイッチ５９の触動片５９ａ（当審注：５９ａは、スイッチ基板であるから、「触動片５９ｂ」の誤記であると認められる。）が解放された異常状態では赤色の第２作動マーク６１Ｂが透視窓を通じて透視され」（記載事項ｅ）という記載から、透視窓６５ｂが、第２非作動マーク６１Ａおよび第２作動マーク６１Ｂを「直接的に透視可能」で「透視する」ことが明らかであるし、「スイッチ押え６０の検出部６０ｂの下端に突設された突片６０ｃの後面にはスイッチ押え６０の揺動支点を中心とする円弧曲線上に隣接して配設されて異色（緑色と赤色）に着色された円形の第２非作動マーク６１Ａおよび第２作動マーク６１Ｂが表示されている。」（記載事項ｅ）という記載から、第２非作動マーク６１Ａおよび第２作動マーク６１Ｂがスイッチ押え６０の下端に突設された突片６０ｃの後面に配設されているのだから、透視窓６５ｂが、第２非作動マーク６１Ａおよび第２作動マーク６１Ｂを「直接的に透視可能」で「透視する」ことが明らかであれば、透視窓６５ｂが、スイッチ押え６０の「作動状態」を「直接的に透視可能」で「透視する」こともまた明らかであること、
(iv)「第２セツト基板６５の前面の中央部付近には・・・タンクレール（作動部材）５６が取付けられている。」（記載事項ｄ）という記載、「第２セツト基板６５・・・には・・・第２非作動マーク６１Ａ、第２作動マーク６１Ｂに・・・対向して丸孔状の透視窓・・・６５ｂが開設されている。」（記載事項ｅ）という記載及び第１図から、第２セツト基板６５が、タンクレール５６の「背後」にこのタンクレール５６を「カバーした状態で設置」されていることが明らかなこと、
                                   
を勘案すれば、引用例には、次の発明（以下、「引用発明」という。）が記載されていると認められる。
　　　　　　　　　　　　　
「　賞品球が貯留されるタンクレール５６の背後にこのタンクレール５６をカバーした状態で設置された第２セツト基板６５には前記タンクレール５６での賞品球の欠乏を検出して球供給禁止状態を出現させる球切れ検出手段におけるスイッチ押え６０の作動状態を透視する透視窓６５ｂを開設し、
　しかも、前記球切れ検出手段は、前記タンクレール５６の賞品球に作動させるスイッチ押え６０と、そのスイッチ押え６０によって作動される触動片５９ｂを有する賞品球切れ検出スイッチ５９とをそれぞれ備え、
　前記透視窓６５ｂは、前記スイッチ押え６０の作動状態を直接的に透視可能に丸孔状に開設されているパチンコ機。」
　　　　           
３．対比
　そこで、本願発明と引用発明とを比較すると、引用発明のａ「賞品球」、ｂ「タンクレール５６」、ｃ「第２セツト基板６５」、ｄ「球切れ検出手段」、ｅ「透視窓６５ｂ」、ｆ「スイッチ押え６０」、ｇ「触動片５９ｂ」、ｈ「賞品球切れ検出スイッチ５９」、ｉ「丸孔状」、ｊ「開設」は、それぞれ、本願発明のａ「パチンコ球」、ｂ「補給流路」、ｃ「蓋板」、ｄ「球切れ検出機構」、ｅ「監視窓」、ｆ「球切れ検出片」、ｇ「触動片」、ｈ「球切れ検出スイッチ」、ｉ「孔状」、ｊ「形成」に相当する。
　　　　　　　　　　　　　　　　
　よって、両者は、
　　　　　　　　　　　　　　　
「　パチンコ球が貯留される補給流路の背後にこの補給流路をカバーした状態で設置された蓋板には前記補給流路でのパチンコ球の欠乏を検出して球供給禁止状態を出現させる球切れ検出機構における球切れ検出片の作動状態を透視する監視窓を開設し、
　しかも、前記球切れ検出機構は、前記補給流路の球に作動させる球切れ検出片と、その球切れ検出片によって作動される触動片を有する球切れ検出スイッチとをそれぞれ備え、
　前記監視窓は、前記球切れ検出片の作動状態を直接的に透視可能に孔状に形成されているパチンコ機。」
　　　　　　　　　　　　　　　　　　　
である点で一致し、以下の点で相違する。
　　　　　　　　　　　　　　　
　相違点１
　監視窓が、本願発明では、球切れ検出機構の作動状態を透視するものであって、球切れ検出片及び球切れ検出スイッチの触動片の作動状態をそれぞれ直接的に透視可能であるのに対して、引用発明では、球切れ検出機構における球切れ検出片の作動状態を透視するものであって、球切れ検出片の作動状態を直接的に透視可能である点。
　　　　　　　　　　　　　　　　　　
　相違点２
　蓋板が、本願発明では、不透明の合成樹脂材で成形されているのに対して、引用発明では、そのようなことが明らかでない点。
　　　　　　　　　　
４．判断
　上記各相違点について検討する。
　相違点１について検討する。
　監視窓の大きさを大きくして観察範囲を広範囲とすることは、特定の分野に限らず分野を跨って一般的に周知（以下、「一般的に周知な事項」という。）（例えば、実公平２−２６９３７号公報（特に、第１頁左欄第１６行〜右欄第１３行を参照。）、実公昭６２−２７７８８号公報（特に、第１頁左欄第１６〜２０行を参照。）を参照。）であって、この一般的に周知な事項をパチンコ機の技術分野に採用することに困難な点は見出せないから、引用発明において、監視窓を、一般的に周知な事項の如く大きくして、球切れ検出機構における球切れ検出片だけでなく球切れ検出スイッチの触動片をも観察範囲とし、もって、球切れ検出機構の作動状態を透視するものとすると共に球切れ検出片及び球切れ検出スイッチの触動片の作動状態をそれぞれ直接的に透視可能して、相違点１に係る本願発明の如く構成することは、当業者が容易に想到できることである。
　　　　　　　　　　　　　　　　　　　　
　相違点２について検討する。
　パチンコ機の部品を不透明な合成樹脂で成形することは周知技術（例えば、実願昭５８−１６４９０７号（実開昭６０−７１２７４号）のマイクロフィルム（特に、第１頁第１８〜１９行を参照。）、実願昭６０−１２８４４１号（実開昭６２−３６７７９号）のマイクロフィルム（特に、第３頁第９〜１０行を参照。）、実願平１−１１９４６３号（実開平３−５８４７８号）のマイクロフィルム（第４頁第６〜７行を参照。）、実願昭６２−１１１６６８号（実開昭６４−１９４８５号）のマイクロフィルム（特に、第６頁第４行を参照。）を参照。）であるから、引用発明において、パチンコ機の部品である蓋板を、前記周知技術の如く不透明な合成樹脂で成形して相違点２に係る本願発明の如く構成することは、当業者が容易に想到できることである。
　　　　
５．本願発明の作用効果について
　本願発明の奏する効果は、引用発明に一般的に周知な事項及び周知技術を適用したものから当業者が容易に予測し得るものであって、格別顕著なものではない。
　　　
６．むすび
　以上のとおり、本願発明は、引用発明、並びに、一般的に周知な事項及び周知技術に基づいて当業者が容易に発明をすることができたものであるから、特許法第２９条第２項の規定により特許を受けることができない。
　したがって、本願は拒絶をすべきものである。　　
　よって、結論のとおり審決する。